(57)【特許請求の範囲】
【請求項１】
被検査溶液中に含まれる分析対象物の成分に応じた呈色を示す呈色部を備えたクロマトグラフィー試験片に対して、光源から出射されたビーム光を照射し、照射光と前記クロマトグラフィー試験片との相対的な位置関係を変化させながら、前記クロマトグラフィー試験片からの透過光もしくは反射光を利用して前記分析対象物の成分測定を行う方法において、
前記成分測定を行うクロマトグラフィー試験片と、前記試験片に関するコード情報を読みとる別の試験片とを備え、前記分析対象物の成分濃度測定時には、前記光源からの距離が、前記光源から出射された照射ビームの集光点位置よりも近い位置に前記クロマトグラフィー試験片を配置し、またコード情報を読み取る場合には、前記集光点からの距離が、前記クロマトグラフィー試験片を配置する位置よりも近い位置に、前記コード情報読み取りの試験片を配置することを特徴とする試験片情報の読み取り方法。
【請求項２】
被検査溶液中に含まれる分析対象物の成分に応じた呈色を示す呈色部を備えたクロマトグラフィー試験片に対して、光源から出射されたビーム光を照射し、照射ビームと前記クロマトグラフィー試験片との相対的な位置関係を変化させながら、前記クロマトグラフィー試験片からの透過光もしくは反射光を利用して前記分析対象物の成分測定を行う方法において、
前記成分測定を行うクロマトグラフィー試験片と、前記試験片に関するコード情報を読みとる別の試験片とを備え、前記分析対象物の成分濃度測定時には、前記光源からの距離が、前記光源から出射された照射ビームの集光点位置よりも遠い位置に前記クロマトグラフィー試験片を配置し、またコード情報を読み取る場合には、前記集光点からの距離が、前記クロマトグラフィー試験片を配置する位置よりも近い位置に、前記コード情報読みとりの試験片を配置することを特徴とする、試験片情報の読み取り方法。
【請求項３】
照射ビームは、前記照射ビームと前記試験片との相対的な位置関係の移動方向に対して、垂直な方向を平行光、前記移動方向に対して平行な方向を集束光とすることで楕円形状としたことを特徴とする請求項１または２記載の試験片情報の読み取り方法。
【請求項４】
記録したコード情報の上部にレンズを一体化したことを特徴とする、クロ
マトグラフィー試験片もしくはコード情報読みとり専用の試験片。
【請求項５】
１個のシリンドリカルレンズを設けたことを特徴とする、請求項４記載の
クロマトグラフィー試験片もしくはコード情報読みとり専用の試験片。
【請求項６】
複数のシリンドリカルレンズを設けたことを特徴とする、請求項４記載の
クロマトグラフィー試験片もしくはコード情報読みとり専用の試験片。
【発明の詳細な説明】
【０００１】
【発明の属する技術分野】
本発明は、クロマトグラフィー試験片もしくはコード情報読みとり専用の試験片上に記録された、コード情報を読みとる方法及びその試験片に関するものである。
【０００２】
【従来の技術】
従来、被検査溶液中に含まれる分析対象物の成分濃度を測定する場合において、試験片内に被測定溶液を挿入し、成分濃度に応じて変化する電極間の電流値やあるいは呈色部の吸光度合いから、濃度を換算していた。この時、換算を行うために必要な検量線は、各試験片あるいはロット毎に異なるため、その検量線の情報を外部から測定装置内に入力する必要があった。
【０００３】
そこでその方法として、従来、半導体メモリ等の内部に情報を記憶したチップを測定装置に装着したり、手動によって情報の選択やあるいは数値の入力を行っていた。
【０００４】
【発明が解決しようとする課題】
この様な検量線等の情報を入力する方法では、わざわざ専用の入力手段となる部品を用意する必要があるために、コストが高くなるという課題を有していた。
【０００５】
そこで本発明は、上記課題を解決するために、検量線等の情報入力時に、既存の測定構成をそのまま利用することにより、低コストな情報入力方法を提供することを目的とするものである。
【０００６】
【課題を解決するための手段】
上記課題を解決するために、本発明の試験片情報の読み取り方法は、被検査溶液中に含まれる分析対象物の成分に応じた呈色を示す呈色部を備えたクロマトグラフィー試験片に対して、光源から出射されたビーム光を照射し、照射光と前記クロマトグラフィー試験片との相対的な位置関係を変化させながら、前記クロマトグラフィー試験片からの透過光もしくは反射光を利用して前記分析対象物の成分測定を行う方法において、
前記成分測定を行うクロマトグラフィー試験片と、前記試験片に関するコード情報を読みとる別の試験片とを備え、前記分析対象物の成分濃度測定時には、前記光源からの距離が、前記光源から出射された照射ビームの集光点位置よりも近い位置に前記クロマトグラフィー試験片を配置し、またコード情報を読みとる場合には、前記集光点からの距離が、前記クロマトグラフィー試験片を配置する位置よりも近い位置に、前記コード情報読みとりの試験片を配置することを特徴とするものである。
【０００７】
また、本発明の試験片情報の読み取り方法は、被検査溶液中に含まれる分析対象物の成分に応じた呈色を示す呈色部を備えたクロマトグラフィー試験片に対して、光源から出射されたビーム光を照射し、照射ビームと前記クロマトグラフィー試験片との相対的な位置関係を変化させながら、前記クロマトグラフィー試験片からの透過光もしくは反射光を利用して前記分析対象物の成分測定を行う方法において、
前記成分測定を行うクロマトグラフィー試験片と、前記試験片に関するコード情報を読みとる別の試験片とを備え、前記分析対象物の成分濃度測定時には、前記光源からの距離が、前記光源から出射された照射ビームの集光点位置よりも遠い位置に前記クロマトグラフィー試験片を配置し、またコード情報を読みとる場合には、前記集光点からの距離が、前記クロマトグラフィー試験片を配置する位置よりも近い位置に、前記コード情報読みとりの試験片を配置することを特徴とするものである。
【０００８】
また、本発明に記載の試験片情報の読み取り方法は、照射ビームを、前記照射ビームと前記試験片との相対的な位置関係の移動方向に対して、垂直な方向を平行光、前記移動方向に対して平行な方向を集束光とすることで楕円形状としたことを特徴とする請求項１または２記載の試験片を利用することを特徴とするものである。
【０００９】
また、本発明に記載の試験片は、記録したコード情報の上部にレンズを一体化したことを特徴とするものである。
【００１０】
また、本発明に記載の試験片は、請求項７記載の試験片において、１個のシリンドリカルレンズを設けたことを特徴とするものである。
【００１１】
また、本発明に記載の試験片は、請求項７記載の試験片において、複数のシリンドリカルレンズを設けたことを特徴とするものである。
【００１２】
また、本発明に記載の試験片情報の読み取り方法は、試験片上に記録したコードに、複数段階の吸光度変化を加えたことを特徴とするものである。
【００１３】
また、本発明に記載の試験片は、試験片上に記録したコードに、濃淡の変化を加えたことを特徴とするものである。
【００１４】
また、本発明に記載の試験片は、試験片上に記録したコードに、色の変化を加えたことを特徴とするものである。
【００１５】
【発明の実施の形態】
以下、本発明の実施の形態について説明する。
（参考例）
以下、本発明の参考例について、図１を用いて説明する。図１は本発明の参考例における、溶液試料中に含まれる分析対象物の成分濃度測定方法を示すための概略構成図である。図１（ａ）は測定装置の概略構成図であり、図１（ｂ）は成分濃度測定用のクロマトグラフィー試験片上の空き領域に、コード情報を記録した構成図である。図１（ｃ）はコード情報読み取り専用の試験片である。
【００１６】
図１（ａ）において、半導体レーザ１から出射された光は、コリメートレンズ２を通過することによって平行ビームに変換される。この平行ビームは、開口部３を通過してビームスプリッタ４に入射される。ここで、ビームスプリッタ４で反射された一部の光ビームは、参照光５として第１のフォトダイオード６で受光される。一方、ビームスプリッタ４を透過した残りの光ビームは、シリンドリカルレンズ７によってクロマトグラフィー試験片９の長辺方向のみが集光され、楕円照射ビーム８としてクロマトグラフィー試験片９上に照射される。さらにこのクロマトグラフィー試験片９の表面からは散乱光１０が発生し、第２のフォトダイオード１１で受光される。
【００１７】
次に、参照光５を受光した第１のフォトダイオード６と、散乱光１０を受光した第２のフォトダイオード１１の出力をそれぞれＬｏｇ変換し、第１のフォトダイオード６のＬｏｇ変換値から、第２のフォトダイオード１１のＬｏｇ変換値
を減算して吸光度信号として出力する。
【００１８】
ここでクロマトグラフィー試験片９上には、被検査溶液中に含まれる分析対象物の成分濃度に応じた呈色を示す、呈色部１２が備えられている。このクロマトグラフィー試験片９を図１で示している矢印の様に、楕円ビーム８に対して移動する。この時、呈色部１２における吸光度の値から、分析対象物の成分濃度を、既知の検量線（吸光度と成分濃度の関係を示したもの）を用いて演算することができる。
【００１９】
次に、この様な測定装置の構成をそのまま利用して、試験片毎あるいはロット毎に異なる検量線等の情報を、装置内部に入力する方法を説明する。
【００２０】
図１（ｂ）は成分濃度測定用の試験片９上の空き領域に、コード情報１３を記録したものである。この場合、成分濃度測定時と同様に試験片９を移動しながら吸光度を測定することにより、試験片上に記録しているコード情報を読み取ることができる。また、図１（ｃ）はコード情報読み取り専用の試験片１４である。コード情報読み取り専用であるために、試験片１４全体にコード情報１３を記録することが可能になり、記録情報量を増大することが可能になる。
【００２１】
(実施の形態１)
以下に、本発明の実施の形態について、図２を用いて説明する。
【００２２】
図２は本発明の実施の形態１による、溶液試料中に含まれる分析対象物の成分濃度測定時のクロマトグラフィー試験片と、コード情報読み取り時の試験片の位置関係を示す図である。図１と同じ構成については同じ符号を用い、説明と無関係な構成部分は省略している。また、図１では光路の軌跡を単純な矢印で示したが、図２においては２本線で挟まれた領域で表現し、それら２本線の間隔によって光の広がりの変化が分かるようにしている。
【００２３】
図２の（ａ）は、成分濃度測定用のクロマトグラフィー試験片９を読み取る場合の位置であり、照射ビーム８の集光点（最も集光される位置）から光源側よりに配置している。このように照射ビーム８の短軸（試験片の長辺方向）の長さを故意に大きくすることは、呈色部１２内における呈色ムラ（呈色状態が不均一になる部分）が発生した場合でも、安定した吸光度信号のアナログ量を検出するためである。
【００２４】
図２の（ｂ）は、コード情報読み取り専用の試験片１４を読み取る場合の位置であり、成分濃度測定用の試験片９の位置よりも集光点寄りに配置している。（これら２種類の試験片は、同時には設置しない。）従って、成分濃度測定用のクロマトグラフィー試験片９上における楕円状照射ビーム８に対して、コード情報読み取り専用の試験片１４上における照射ビーム１５は、試験片の長辺方向のみが更に集光される。ここで、コード情報はディジタル量であることと、照射ビーム１５が楕円形状であることから、照射ビーム１５を短軸方向のみ集光しても、印刷ムラ等に対しての影響は少ない。
【００２５】
この構成によって、コード情報を読み取る場合の光学的読み取り分解能が向上し、試験片上に記録できる情報量を増加させることが可能になる。
【００２６】
(実施の形態２)
以下に、本発明の実施の形態２について、図３を用いて説明する。
【００２７】
図３は本発明の実施の形態２による、溶液試料中に含まれる分析対象物の成分濃度測定時の試験片と、コード情報読み取り時の試験片の位置関係を示す図である。図１と同じ構成については同じ符号を用い、説明と無関係な構成部分は省略している。
【００２８】
図３の（ａ）は、成分濃度測定用のクロマトグラフィー試験片９を読み取る場合の位置であり、照射ビームが一度集光し、再度広がった位置に配置している。図３の（ｂ）は、コード情報読み取り専用の試験片１４を読み取る場合の位置であり、成分濃度測定用のクロマトグラフィー試験片９の位置よりも集光点寄りに配置している。（これら２種類の試験片は、同時には設置しない。）従って、成分濃度測定用のクロマトグラフィー試験片上９における楕円状光ビーム８に対して、コード情報読み取り専用の試験片１４上における照射ビーム１５は、試験片の長辺方向のみが更に集光される。
【００２９】
この構成によって、コード情報を読み取る場合の光学的な読み取り分解能が向上し、試験片上に記録できる情報量を増加させることが可能になる。
(実施の形態３)
以下に、本発明の実施の形態３について、図４を用いて説明する。
【００３０】
図４は本発明の実施の形態３による、コード情報読み取り専用の試験片の光学的な読み取り分解能を向上させる構成を示した図である。図１と同じ構成については同じ符号を用い、説明と無関係な構成部分は省略している。
【００３１】
ここでコード情報読み取り時の試験片１４の位置は、図２の（ａ）における成分濃度測定用試験片９を読み取る場合の位置と同様である。つまり、照射ビームの集光点から光源側よりに配置している。また試験片１４上には、試験片の長辺方向のみを集光する作用のあるシリンドリカルレンズ１６を配置し、一体化している。
【００３２】
このシリンドリカルレンズ１６によって、コード情報を記録した面上の照射ビーム１７は、試験片の長辺方向のみが更に集光される。従って、コード情報を読み取る場合の光学的な読み取り分解能が向上し、試験片上に記録できる情報量を増加させることが可能になる。
【００３３】
尚、図４では１個のシリンドリカルレンズ１６を試験片１４上に形成した場合を示したが、複数のレンズを試験片の長辺方向に並べても、同様な効果が得られる。またこの様な構成とすれば、１個使用の場合よりも試験片の厚みを小さくすることが可能になる。
【００３４】
また、コード情報読み取り専用の試験片のみだけでなく、成分濃度測定用のクロマトグラフィー試験片の場合でも、コード情報を記録した部分のみにレンズを配置することによって、同様な効果が得られる。
(実施の形態４)
以下に、本発明の実施の形態４について、図５を用いて説明する。
【００３５】
図５は本発明の実施の形態４による、コード情報読み取り専用の試験片における、記録情報量を増加させるための方法を示した図である。図５（ａ）は、コード情報読み取り専用の試験片１４上に、バー状のコードを記録した状態を示している。１８ａ〜１８ｊは、記録されたそれぞれのバーであり、濃淡或いは色が異なるようなっている。また図５（ｂ）は、横軸が試験片１４上における照射光８の位置、縦軸が吸光度信号の変化を示している。通常の濃淡の場合（１８ａ，１８ｂ，１８ｃ，１８ｅ，１８ｇ，１８ｈ，１８ｊ）、吸光度のレベルはＡとなる。通常より薄い場合（１８ｉ）には吸光度レベルはＢ、さらに薄い場合（１８ｄ，１８ｆ）にはＣとなる。濃淡ではなく、色が異なる場合も同様である。
【００３６】
従ってこの様な構成により、バーの位置だけでなく、吸光度のレベルにも情報を盛り込むことが可能になる。つまり、１本のバーに対して吸光度のレベル分割数だけの情報量を持たせられるので、試験片１４上に記録できる全情報量は大幅に増加する。
【００３７】
【発明の効果】
以上のように、本発明に記載の試験片情報の読み取り方法は、被検査溶液中に含まれる分析対象物の成分に応じた呈色を示す呈色部を備えたクロマトグラフィー試験片に対して、光源から出射されたビーム光を照射し、照射光と前記クロマトグラフィー試験片との相対的な位置関係を変化させながら、前記クロマトグラフィー試験片からの透過光もしくは反射光を利用して前記分析対象物の成分測定を行う方法において、
前記成分測定を行うクロマトグラフィー試験片と、前記試験片に関するコード情報を読みとる別の試験片とを備え、前記分析対象物の成分濃度測定時には、前記光源からの距離が、前記光源から出射された照射ビームの集光点位置よりも近い位置に前記クロマトグラフィー試験片を配置し、またコード情報を読みとる場合には、前記集光点からの距離が、前記クロマトグラフィー試験片を配置する位置よりも近い位置に、前記コード情報読みとりの試験片を配置する様にしたので、コード情報を読み取る場合の光学的な読み取り分解能が向上され、試験片上に記録できる情報量を増加させることが可能になる。
【００３８】
また、本発明に記載の試験片情報の読み取り方法は、被検査溶液中に含まれる分析対象物の成分に応じた呈色を示す呈色部を備えたクロマトグラフィー試験片に対して、光源から出射されたビーム光を照射し、照射ビームと前記クロマトグラフィー試験片との相対的な位置関係を変化させながら、前記クロマトグラフィー試験片からの透過光もしくは反射光を利用して前記分析対象物の成分測定を行う方法において、
前記成分測定を行うクロマトグラフィー試験片と、前記試験片に関するコード情報を読みとる別の試験片とを備え、前記分析対象物の成分濃度測定時には、前記光源からの距離が、前記光源から出射された照射ビームの集光点位置よりも遠い位置に前記クロマトグラフィー試験片を配置し、またコード情報を読みとる場合には、前記集光点からの距離が、前記クロマトグラフィー試験片を配置する位置よりも近い位置に、前記コード情報読みとりの試験片を配置する様にしたので、コード情報を読み取る場合の光学的な読み取り分解能が向上され、試験片上に記録できる情報量を増加させることが可能になる。
【００３９】
また、本発明に記載の照射ビームは、前記照射ビームと前記試験片との相対的な位置関 係の移動方向に対して、垂直な方向を平行光、前記移動方向に対して平行な方向を集束 光とすることで楕円形状としたことにより、光源からの距離が異なった位置に試験片を 配置しても、試験片上の読み取り部分を、相対的に移動しながら照射するビームの幅は 同じである為、成分測定を行うクロマトグラフィー試験片の場合には呈色ムラ等に対し て、またコード情報を読み取る場合にはコードの印刷ムラ等に対して、どちらもムラ等 による光学的なノイズの影響を受けない安定した信号を得ることが可能になる。  
【００４０】
また、本発明に記載の試験片は、記録したコード情報の上部にレンズを一体化する様にしたので、光学的な読み取り分解能が向上され、試験片上に記録できる情報量を増加させることが可能になる。
【００４１】
また、本発明に記載の試験片は、上述の試験片において、１個のシリンドリカルレンズを設ける様にしたので、光学的な読み取り分解能が向上され、試験片上に記録できる情報量を増加させることが可能になる。
【００４２】
また、本発明に記載の試験片は、上述の試験片において、複数のシリンドリカルレンズを設ける様にしたので、光学的な読み取り分解能が向上され、試験片上に記録できる情報量を増加させることが可能になる。
【００４３】
また、本発明に記載の試験片は、試験片上に記録したコードに、複数段階の吸光度変化を加える様にしたので、試験片上に記録できる全情報量を大幅に増加させることが可能になる。
【００４４】
また、本発明に記載の試験片は、試験片上に記録したコードに、濃淡の変化を加えたる様にしたので、試験片上に記録できる全情報量を大幅に増加させることが可能になる。
【００４５】
また、本発明に記載の試験片は、試験片上に記録したコードに、色の変化を加える様にしたので、試験片上に記録できる全情報量を大幅に増加させることが可能になる。
【図面の簡単な説明】
【図１】  本発明の参考例における溶液試料中に含まれる分析対象物の成分濃度測定方法を示すための概略構成図
【図２】  本発明の実施の形態１における溶液試料中に含まれる分析対象物の成分濃度測定時の試験片と、コード情報読み取り時の試験片の位置関係を示す図
【図３】  本発明の実施の形態２における溶液試料中に含まれる分析対象物の成分濃度測定時の試験片と、コード情報読み取り時の試験片の位置関係を示す図
【図４】  本発明の実施の形態３におけるコード情報読み取り専用の試験片の光学的な読み取り分解能を向上させる構成を示した図
【図５】  本発明の実施の形態４におけるコード情報読み取り専用の試験片における、記録情報量を増加させるための方法を示した図
【符号の説明】
１  半導体レーザ
２  レンズ
３  開口部
４  ビームスプリッタ
５  参照光
６  フォトダイオード
７  シリンドリカルレンズ
８  照射ビーム
９  クロマトグラフィー試験片
１０  散乱光
１１  フォトダイオード
１２  呈色部
１３  コード情報
１４  コード情報読み取り専用の試験片
１５  照射ビーム
１６  シリンドリカルレンズ
１７  照射ビーム
１８  バーコード
【図１】
0004016672.tif 000002
【図２】
0004016672.tif 000003
【図３】
0004016672.tif 000004
【図４】
0004016672.tif 000005
【図５】
0004016672.tif 000006